(57)【特許請求の範囲】
【請求項１】
複数の金種の紙幣を一括し収納できる一括カセットを用い、紙幣補充時にこの一括カセットから繰り出した紙幣を金種別カセットに補充し、紙幣回収時には前記金種別カセットから繰り出した紙幣を前記一括カセットに回収する紙幣入出金装置において、
紙幣収納量の大きい第１の一括カセットと、この第１の一括カセットより小型でかつ紙幣収納量の小さい第２の一括カセットを用い、
第１の一括カセットを装着したときは、第１のリジェクトカセットを装着して、この第１のリジェクトカセットに入金取引で受け入れた出金に用いない紙幣と出金取引時の搬送異常が検知された紙幣をリジェクト紙幣として収納し、第２の一括カセットを装着したときは、前記第１のリジェクトカセットと共に第２のリジェクトカセットを装着して、第１のリジェクトカセットが満杯になったとき第２のリジェクトカセットに前記リジェクト紙幣を収納することを特徴とする紙幣入出金装置。
【請求項２】
複数の金種の紙幣を一括し収納できる一括カセットを用い、紙幣補充時にこの一括カセットから繰り出した紙幣を金種別カセットに補充し、紙幣回収時には前記金種別カセットから繰り出した紙幣を前記一括カセットに回収する紙幣入出金装置において、
紙幣収納量の大きい第１の一括カセットと、この第１の一括カセットより小型でかつ紙幣収納量の小さい第２の一括カセットを用い、
第１の一括カセットを装着したときは、第１のリジェクトカセットを装着して、この第１のリジェクトカセットに入金取引で受け入れた出金に用いない紙幣と出金取引時の搬送異常が検知された紙幣をリジェクト紙幣として収納し、
第２の一括カセットを装着したときは、前記第１のリジェクトカセットと共に第２のリジェクトカセットを装着して、第１のリジェクトカセットに入金取引で受け入れた損券と出金取引時の搬送異常券をリジェクト紙幣として収納すると共に、第２のリジェクトカセットに入金取引で受け入れた出金対象外金種の紙幣を収納することを特徴とする紙幣入出金装置。
【請求項３】
請求項１または請求項２において、
第２の一括カセットと第２のリジェクトカセットは、第１の一括カセットを装着するスペースに重ねて装着することを特徴とする紙幣入出金装置。
【発明の詳細な説明】
【０００１】
【発明の属する技術分野】
本発明は、入金取引時に受け入れた紙幣を出金用として利用する還流式の機能を有すると共に、紙幣を収納する収納庫への紙幣の補充と、収納庫からの紙幣の回収を行う一括収納庫を備えた紙幣入出金装置に関するものである。
【０００２】
【従来の技術】
銀行等の金融機関においては、顧客に対する紙幣（現金）の入出金処理を行う入出金装置を装備した自動取引装置が店頭等に設置され、取引業務の処理向上に大きく寄与している。
このような入出金装置として、入金機能と出金機能を一体化した還流式の構成を持ち、金種別に紙幣を収納する金種別カセットへの紙幣の補充と、金種別カセットからの紙幣の回収を行う一括カセットを備えた入出金装置がある。
【０００３】
図１３は従来のこの種の紙幣入出金装置（以下ＣＣＡＤと略記する）の内部構造を示す概略側面図である。
図において８はＣＣＡＤの前面側上部に設けた回転可能な接客部で、顧客が紙幣を投入したり、顧客に対する紙幣の返却、及び顧客に対する出金を行うための部位である。
【０００４】
接客部８の左下側には紙幣の真偽，金種，正損，及び表裏の鑑別と２重送りや連鎖あるいは斜行等の異常搬送の有無の検知を行うために設けられた鑑別部１３が配置されている。
また、前記接客部８左側には表裏取り揃え機構１２が設けられ、前記鑑別部１３で裏面と鑑別された紙幣はこの表裏取り揃え機構１２で表裏反転して表面に揃えられるようにしている。
【０００５】
１５はＣＣＡＤの背面（開放面）側に装着した一括カセット、１６は同様にＣＣＡＤの背面側に配置したリジェクトカセットで、このリジェクトカセット１６は一括カセット１５の直下の位置に装着されている。
一括カセット１５は後述する各金種別カセットに対する紙幣の補充及び回収に用いられるもので、紙幣収納部１７と、この紙幣収納部１７内で各金種の紙幣を集積して上下動するステージ１８と、紙幣回収時に各金種別カセットから繰り出された回収紙幣を集積する仕切り板１９と、この仕切り板１９上の紙幣をステージ１８上に積み替える積み替え手段２０と、仕切り板１９上に紙幣を集積させる集積手段２１と、ステージ１８上の紙幣を１枚づつ分離して後述する搬送路上に繰り出す繰り出し手段２２と、紙幣補充時に繰り出し手段２２で繰り出された紙幣のうち鑑別部１３により異常搬送が検知された紙幣を補充リジェクト紙幣として収納するリジェクト紙幣収納部２３と、このリジェクト紙幣収納部２３に紙幣を集積させる集積手段２４と、一括収納部１７内の紙幣のエンドを検知するためのエンド検知器２５ａと、ニアエンド検知器２５ｂと、同じく一括収納部１７内の紙幣のフルを検知するためのフル検知器２５ｃと、リジェクト紙幣収納部２３の紙幣のフルを検知するためのフル検知器２６を備えている。
【０００６】
リジェクトカセット１６は、顧客の取り忘れ紙幣を収納する取り忘れ紙幣収納部２７と、出金処理時に鑑別部１３により出金用として利用するには不適な損券あるいは出金対象外金種の券（例えば５百円や５千円券）と鑑別された非還流紙幣及び出金処理時に鑑別部１３で金種不明と鑑別されたり異常搬送が検知された紙幣を収納するリジェクト紙幣収納部２８を有し、併せて前記取り忘れ紙幣収納部２７へ取り忘れ紙幣を取り込んで集積させる取り忘れ紙幣集積手段２９と、前記リジェクト紙幣収納部２８へ損券及びリジェクト紙幣を取り込んで集積させるリジェクト紙幣集積手段３０と、取り忘れ紙幣収納部２７内の紙幣のフルを検出するためのフル検知器３１と、リジェクト紙幣収納部２８の内の紙幣のフルを検出するためのフル検知器３２を備えている。
【０００７】
３３，３４，３５は顧客との取引に用いる出金用紙幣を収納する金種別カセットで、この金種別カセット３３，３４，３５はＣＣＡＤの底部側に配置されており、例えば３３を千円券カセット、３４と３５を万円券カセットとする。
３６，３７，３８は前記金種別カセット３３，３４，３５内に設けられた紙幣集積用のステージで、各ステージ３６，３７，３８を図示しない移動手段によって上昇，下降するものとなっている。
【０００８】
５３は前記金種別カセット３３，３４，３５の上方に配置した入出金ユニットで、この入出金ユニット５３は、各金種別カセット３３，３４，３５と１対１で対応するようにこれら各カセットの直上に配置された一時保留部としての一時保留板４２，４３，４４と、前記鑑別部１３を経て送られてくる紙幣を取り込んで各紙幣一時保留板４２，４３，４４上に集積させる紙幣集積機構３９，４０，４１と、前記ステージ３６，３７，３８もしくは紙幣一時保留板４２，４３，４４上の紙幣を最上部より１枚づつ分離して取り出す紙幣分離機構４５，４６，４７を有しており、ここで前記紙幣一時保留板４２，４３，４４は図示しないモータにより矢印Ｊ方向に退避可能となっている。
【０００９】
４８ａ，４９ａ，５０ａは前記金種別カセット３３，３４，３５内の紙幣のエンドを検知するためのエンド検知器、４８ｂ，４９ｂ，５０ｂは同じく紙幣のニアエンドを検知するためのニアエンド検知器、４８ｃ，４９ｃ，５０ｃは紙幣のフルを検知するためのフル検知器であり、これらはそれぞれ発光，受光素子により構成されている。
【００１０】
５１は前記接客部８，表裏取り揃え機構１２，鑑別部１３，一括カセット１５，リジェクトカセット１６及び入出金ユニット５３間を結んで紙幣を搬送する搬送路、１４ａ〜１４ｊはこの搬送路５１による紙幣の搬送方向を切り替える切り替えブレードで、各切り替えブレード１４ａ〜１４ｊは前記鑑別部１３による鑑別結果等に基づいて図示しないマグネットにより動作するようになっている。
【００１１】
５２はＣＣＡＤの背面（開放面）に設けられた扉で、この扉５２を開くことによりＣＣＡＤを自動取引装置から引き出すことなく、一括カセット１５が抜き取れるようなっている。
また、この一括カセット１５を抜き取ることにより、リジェクトカセット１６及び各金種別カセット３３，３４，３５を抜き取れるようになっている。
【００１２】
尚、ＣＣＡＤ内には接客部８を回転させるモータの他にも紙幣を分離，集積，搬送するための動力源として、それぞれ独立した図示しない複数のモータが、その回転動力を各部に伝達する動力伝達機構と共に配置されており、これらを含めて装置全体が図示しない制御部により制御されるように構成されている。  次に上述した構成の作用として、紙幣の補充と回収について説明する。
【００１３】
まず、紙幣の補充について説明すると、この紙幣の補充は自動取引装置の運用開始時、あるいは運用中に紙幣の不足が生じたときに行われるもので、係員はＣＣＡＤの扉５２を開いて一括カセット１５を装着する。
この一括カセット１５のステージ１８上には予め元方で取引に必要な各金種の紙幣つまり万円券と千円券の紙幣が所定枚数づつ一括して集積されており、装着後、係員はＣＣＡＤの扉５２を閉めて図示しない内部操作部のキー操作により紙幣の補充指示を入力する。
【００１４】
これにより搬送路５１が駆動され、また金種別カセット３３〜３５上からそれぞれ一時保留板４２〜４４が退避すると共に、金種別カセット３３〜３５のステージ３６〜３８が所定の位置まで上昇する。
そして、一括カセット１５の紙幣繰り出し部２２を駆動して、ステージ１８上に集積されている紙幣を上から順に１枚づつ分離して搬送路５１上に繰り出し、ブレード１４ｂにより下方に案内して鑑別部１３に搬送する。
【００１５】
鑑別部１３では搬送路５１により搬送されてきた紙幣の真偽，金種等の鑑別を行うと共に、搬送異常の有無を検知する。
その結果、偽あるいは金種が不明等と鑑別された紙幣や搬送異常が検知された紙幣はリジェクト紙幣として搬送路５１による搬送とブレード１４ｃ、１４ｄ、及び１４ｅの案内により集積手段２４に送られ、この集積手段２４により一括カセット１５のリジェクト紙幣収納部２３に収納される。
【００１６】
一方、金種が確認されかつ搬送異常が検知されなかった紙幣は補充可能な紙幣として金種別に計数された後、搬送路５１による搬送とブレード１４ｃ、１４ｄの案内により入出金ユニット５３に送られる。
そして、この入出金ユニット５３に送られた紙幣のうち、千円券の紙幣は切り替えブレード１４ｈを作動して紙幣集積機構３９に送り込み、金種別カセット３３のステージ３６に直接集積する。
【００１７】
同様に万円券の紙幣は、切り替えブレード１４ｉまたは１４ｊを作動して紙幣集積機構４０または４１に送り込み、金種別カセット３４のステージ３７または金種別カセット３５のステージ３８に直接集積する。
この動作はステージ１８にセットされている紙幣がなくなってエンド検知器２５ａの検知があるまで繰り返されるが、途中ステージ３６，３７，３８のいずれか一つの集積枚数が保留許容値（例えば１００枚）に達した場合には、紙幣繰り出し部２２の動作を中断し、保留許容値に達したカセットのステージを図示していないモータにより保留許容値に相当する分下げ、ステージが下がった時点で前記紙幣繰り出し部２２を再び動作させて紙幣の補充動作を繰り返す。
【００１８】
一括カセット１５のステージ１８上の紙幣がなくなって、エンド検知器２５ａがエンド検知すると紙幣繰り出し部２２は停止され、最後の紙幣が金種別カセットに到着すると搬送路５１による搬送動作も停止する。
最後に、金種別カセット３３，３４，３５のステージ３６，３７，３８が一斉に下がり、ステージ３６，３７，３８上に集積された紙幣は金種別カセット３３，３４，３５に収納されて紙幣の補充動作は終了する。
【００１９】
尚、この紙幣の補充動作において、一括カセット１５のステージ１８上の紙幣がなくなる前に金種別カセット３３，３４，３５のフル検知器４８ｃ，４９ｃ，５０ｃのいずれもがフルを検知した場合は、その時点で金種別カセット３３，３４，３５のステージ３６〜３７を初期位置に下降させ、一時保留板４２〜４３を金種別カセット３３，３４，３５上に戻すが、一括カセット１５では引き続き紙幣繰り出し手段２２によりステージ１８上の紙幣の繰り出しを行う。
【００２０】
これにより繰り出された紙幣は、鑑別部１３を通過後、切り替えブレード１４ｃ，１４ｄ，１４ｅの案内により一括カセット１５の集積手段２１に送り込まれて仕切り板１９上に集積されるが、途中で集積枚数が許容値（例えば１００枚）に達した場合には、紙幣繰り出し部２２の動作を中断し、積み替え手段２０により仕切り板１９上の紙幣が持ち上げられる。
【００２１】
その後、紙幣繰り出し手段２２によりステージ１８上の紙幣を繰り出しが再開されて前記と同様の動作が繰り返され、ステージ１８上の紙幣がすべて繰り出されて、そのエンドがエンド検知器２５ａにより検知され、紙幣繰り出し手段２２によりステージ１８上から繰り出された最後の紙幣が仕切り板１９上に集積されると、搬送路５１の動作が停止される。
【００２２】
そして、積み替え手段２０により持ち上げられている紙幣は、この積み替え手段２０とステージ１８との協動により、ステージ１８上に積み替えられる。
次に紙幣の回収処理について説明する。
この回収処理は金融機関の精査時等に行われるもので、係員が図示しない内部操作部のキー操作により回収指示を入力すると、
搬送路５１が駆動され、一時保留板４２〜４３が矢印ｊ方向い退避して開くと共に、例えば金種別カセット３５のステージ３８が所定の位置まで上昇する。
【００２３】
そして、紙幣分離機構４７を作動して、金種別カセット３５に収納されている紙幣を上側から順に１枚づつ分離して繰り出し、繰り出した紙幣を搬送路５１による搬送と、切替えブレード１４ｊ，１４ｉ，１４ｈの案内により鑑別部１３へ送り、鑑別部１３では搬送されてきた紙幣の金種等の鑑別と、搬送異常の有無の検知を行う。
【００２４】
その結果、金種不明な紙幣や搬送異常が検知された紙幣は、リジェクト紙幣として搬送路５１による搬送と切り替えブレード１４ｃ〜１４ｇの案内によりリジェクトカセット１６のリジェクト紙幣集積手段３０に送り込み、リジェクト紙幣収納部２８に集積する。
鑑別の結果、金種が確認され搬送異常が検知されなかった正常な紙幣は、金種別に計数された後、切り替えブレード１４ｃ〜１４ｅの案内により集積手段２１に送り込まれ、仕切り板１９の上に順次集積される。
【００２５】
この動作は金種別カセット３５にセットされた紙幣がなくなるまで繰り返されるが、途中で仕切り板１９上の集積枚数が集積許容値に達した場合には、分離機構４７の動作を中断し、補充動作時に説明した積み替え手段２０による紙幣の持ち上げを行う。その後、分離機構４７の動作が再開され、前記と同じ動作が繰り返される。
【００２６】
これにより金種別カセット３５のステージ３８上の紙幣がすべて繰り出され、エンド検知器５０ａがエンドを検知すると、分離機構４７の動作が停止され、ステージ３８が初期位置に下降する。
同時に、例えば金種別カセット３４のステージ３７が所定に位置に上昇し、分離機構４６によりステージ３７上の紙幣が繰り出されて前記と同様の処理が繰り返される。
【００２７】
この金種別カセット３４のステージ３７上の紙幣がすべて繰り出されてエンド検知器４９ａがエンドを検知すると、分離機構４６の動作が停止され、ステージ３７が初期位置に下降すると、同様に金種別カセット３３のステージ３６が所定に位置に上昇し、分離機構４５によりステージ３６上の紙幣が繰り出されて前記と同様の処理が繰り返される。
【００２８】
そして、この金種別カセット３３のステージ３６上の紙幣がすべて繰り出されてエンド検知器４９ａがエンドを検知すると、分離機構４６の動作が停止され、ステージ３７が初期位置に下降し、更にステージ３６上から繰り出された最後の紙幣が仕切り板１９上に集積されると、搬送路５１の動作が停止される。
その後、積み替え手段２０により持ち上げられている紙幣は、この積み替え手段２０とステージ１８との協動により、ステージ１８上に積み替えられる。
【００２９】
以上で紙幣の回収処理が終了し、終了後は係員により扉５２が開かれて一括カセット１５がＣＣＡＤから抜き取られ、精査を行う元方へ運搬される。
【００３０】
【発明が解決しようとする課題】
一般に、この種の紙幣入出金装置では、例えば給料の支給日やその翌日、あるいはボーナスの支給日やその翌日、更には連休等の前日、前々日等には顧客への支払が多いので、これらの日には金種別カセットが満杯になるように紙幣を補充することが必要があるが、その他の日は支払額が少ないことのほうが多いので、金種別カセットが満杯になるほど補充する必要がある場合は少ないといえる。
【００３１】
また、人口の多い大都市の金融機関の店舗に設置される装置では取引数が多いが、人口の少ない市町村の金融機関の店舗に設置される装置では取引数が少ないので、金種別カセットが満杯になる程紙幣を補充する必要があることは極めて稀である。
しかしながら、上述した従来の技術では、一括カセットから金種別カセットに紙幣を補充する動作において、補充中に金種別カセットの紙幣が満杯になったとき、一括カセットのステージ上に紙幣が残っている場合、このステージ上の紙幣を一旦すべて繰り出し、繰り出した紙幣を鑑別して一括カセットの仕切り板上に集積した後、この仕切り板上の紙幣回収部の紙幣を積み替え手段によりステージ上に戻すようにしているため、一括カセットには仕切り板上に紙幣を集積するスペースが必要になると共に、積み替え手段やこの積み替え手段を動作させるモーター及びその動力伝達手段、更には積み替え時にステージに上下動以外の動作をさせるモーターや動力伝達手段等の機構を必要としているため、一括カセットの構造が複雑化すると共にサイズが大型化し、かつ重量も重くなって、係員が運搬等を行う際に大きな負担になるという問題がある。
【００３２】
本発明は、このような問題を解決するためになされたもので、必要に応じて大型の一括カセットと小型の一括カセットを使い分けることが可能な紙幣入出金装置を提供することを課題とする。
【００３３】
【課題を解決するための手段】
この目的を達成するため、本発明は、複数の金種の紙幣を一括し収納できる一括カセットを用い、紙幣補充時にこの一括カセットから繰り出した紙幣を金種別カセットに補充し、紙幣回収時には前記金種別カセットから繰り出した紙幣を前記一括カセットに回収する紙幣入出金装置において、紙幣収納量の大きい第１の一括カセットと、この第１の一括カセットより小型でかつ紙幣収納量の小さい第２の一括カセットを用い、第１の一括カセットを装着したときは、第１のリジェクトカセットを装着して、この第１のリジェクトカセットに入金取引で受け入れた出金に用いない紙幣と出金取引時の搬送異常が検知された紙幣をリジェクト紙幣として収納し、第２の一括カセットを装着したときは、前記第１のリジェクトカセットと共に第２のリジェクトカセットを装着して、第１のリジェクトカセットが満杯になったとき第２のリジェクトカセットに前記リジェクト紙幣を収納することを特徴とする。
【００３４】
【発明の実施の形態】
以下、図面を参照して本発明による紙幣入出金装置（ＣＣＡＤ）実施の形態について説明する。
図１は第１の実施の形態の内部構造を示す概略側面図であり、図２はこの第１の実施の形態を備えた自動取引装置の外観を示す斜視図、図３はその自動取引装置の構成を示すブロック図である。
【００３５】
まず、図２に示す自動取引装置について説明すると、同図（ａ）は接客面から見た図、 (ｂ) は背面から見た図である。
図２において１は現金自動取引装置で、内部に第１の実施の形態であるＣＣＡＤ２を有している。
３は顧客により挿入されたカードに対する磁気ストライプデータの読み取り及び書き込みを行うと共に、レシート等に取引内容の印字処理を行うカードリーダライタ／プリント部（以下ＣＲＰ部と略記す）、４は顧客により挿入された通帳の識別や取引内容の印字等の処理を行う通帳記帳機である。
【００３６】
５は顧客操作表示部で、顧客が取引項目の入力や出金希望金額，暗証番号の入力，及び取消，確認等を行うための各種の操作キーと、該操作キーによる入力金額や操作案内用のイラストや文字を表示するＣＲＴ等の表示部を備えている。
６は金融機関の係員が紙幣の装填，補充，回収等の処理を行うためのデータを入力する図示しない操作キー，及び該操作キーからの入力データや処理結果等を表示して、係員操作を誘導する表示部から成る内部操作部で、この内部操作部６は自動取引装置１の背面扉１ａの内側に設けられており、前記ＣＣＡＤ２は後述する各収納庫を着脱したり、あるいは搬送路中でジャムした紙幣を取り出す際等にこの背面扉１ａを開いて自動取引装置１の背面側から外部に引き出すことができるようになっている。
【００３７】
７は自動取引装置１の制御部である。
次に、図３のブロック図について説明する。
この図に見られるように制御部７にＣＣＡＤ２，ＣＲＰ部３，通帳記帳機４，顧客操作表示部５，及び内部操作部６が接続されており、制御部７はこれらの制御を行うと共に、必要に応じて各種演算処理やデータの記憶等を行うものとなっている。
【００３８】
次に、図１の構成について説明する。
尚、従来と同一の部位には同一の符号を付し、その説明を省略する。
図において６１は第２の一括カセットで、本実施の形態におけるＣＣＡＤ２は従来から用いられている一括カセット１５（図１３参照）を第１の一括カセットとし、この第１の一括カセット１５と第２の一括カセット６１の両方を背面側に装着可能とし、必要に応じて使い分けられるようになっている。
【００３９】
この第２の一括カセット６１は、第１の一括カセット１５に比べて小型に形成されており、一括カセット１５と同様に各金種別カセット３３〜３５に対する紙幣の補充及び回収に用いられる。
この第２の一括カセット６１には、一括収納部６２と、この一括収納部６２内で各金種の紙幣を集積して上下に移動するステージ６３と、繰り出し集積手段６４と、紙幣補充時に繰り出し集積手段６４で繰り出された紙幣のうち鑑別部１３により異常搬送が検知された紙幣を補充リジェクト紙幣として収納するリジェクト紙幣収納部６５と、このリジェクト紙幣収納部６５に紙幣を集積させる集積手段６６と、一括収納部６２内の紙幣のエンドを検知するためのエンド検知器６７ａと、ニアエンド検知器６７ｂと、同じく一括収納部６２内の紙幣のフルを検知するためのフル検知器６７ｃと接続用コネクタ６８が備えられ、前記各検知器６７ａ〜６７ｃはそれぞれ一対の発光素子と受光素子により構成されている。
【００４０】
ここで、繰り出し集積手段６４は紙幣補充時にステージ６３上の紙幣を１枚づつ分離して搬送路５１上に繰り出すのみでなく、紙幣回収時には各金種別カセット３３〜３５から繰り出された紙幣をステージ６３上に集積するもので、搬送路５１は紙幣のステージ６３上への集積を可能にするように構成され、切替えブレード１４ｋと１４ｌが付加されている。
【００４１】
６９はＣＣＡＤ２の内部に設けられた接続用コネクタで、これについては後で説明する。
７０は第２のリジェクトカセットで、従来から用いられているリジェクトカセット１６を第１のリジェクトカセットとする。
この第２のリジェクトカセット７０は、第２の一括カセット６３が小型であることから、第２の一括カセット６３が装着されるときのみ、この第２の一括カセット６３の直下に位置するように第１の一括カセット１５を装着するスペースに装着するもので、リジェクト紙幣等を収納するために紙幣を集積させる集積手段７１と、一対の発光素子及び受光素子から成るフル検知器７２を備えている。
【００４２】
図４は第１の実施の形態におけるコネクタ接続の詳細を示す図で、この図に示したように、第２の一括カセット６１に設けた接続用コネクタ６８とＣＣＡＤ２側に設けた接続用コネクタ６９は、それぞれ３本のピンＡ，Ｂ，Ｃが接続識別ようとして割り当てられていて、第２の一括カセット６１の接続ピンＡ，Ｂ，ＣはそれぞれスイッチＳＷ１〜ＳＷ３及び電源Ｖに接続され、ＣＣＡＤ２の接続ピンＡ，Ｂ，Ｃはポート８１を介して制御部８２に接続されている。
【００４３】
また、第１の一括カセット１５にも接続用コネクタ６８と同様の接続用コネクタが設けられている。
このようなコネクタの構成において、第２の一括カセット６１に設けた接続用コネクタ６８とＣＣＡＤ２側に設けた接続用コネクタ６９を接続したとき、例えばスイッチＳＷ１がオンになってピンＡが導通し、第１の一括カセット１５の接続用コネクタとＣＣＡＤ２側に設けた接続用コネクタ６９を接続したときは、スイッチＳＷ２がオンになってピンＢが導通するようにしておく。
【００４４】
これにより制御部８２はポート８１をリードすることで第１の一括カセット１５と第２の一括カセット６１のどちらがＣＣＡＤ２に装着されたか識別することが可能となり、そして制御部８２は識別結果に応じて紙幣の補充、回収の動作を制御するものとなっている。
図５は第２のリジェクトカセット７０の斜視図で、この図に示したように第２のリジェクトカセット７１の側面にはロック用のポスト７３が設けられている。
【００４５】
７４はＣＣＡＤ２内に設けたフレームで、このフレーム７４の一側にはロックレバー７５が軸７６を支点として回転するように設けられており、このロックレバー７５は図示しないスプリング等により矢印Ｄに示したように上方に付勢されており、図１に示したようにフレーム７４上に第２のリジェクトカセット７１を装着したとき、ポスト７３にロックレバー７５が係合して、第２のリジェクトカセット７０がロックされるものとなっている。
【００４６】
第２のリジェクトカセット７０を取り外す場合は、ロックレバー７５を指等で押し下げると、ロックレバー７５がポスト７３から外れるので、ＣＣＡＤ２の後方に引き出すことができる。
図６は第２の一括カセット６１を装着する際の側面図で、この図に示したように扉５２を開放し、第２のリジェクトカセット７０上に第２の一括カセット６１を載せてＣＣＡＤ２内に押し込む。
【００４７】
これにより第２の一括カセット６１の接続用コネクタ６８がＣＣＡＤ２側に設けた接続用コネクタ６９と嵌合して接続し、制御部８２により第２の一括カセット６１の装着が認識されるので、その後、扉６２を閉じることで、第２の一括カセット６１の装着は完了する。
図７は接客部８の動作を示す図で、同図に示すように接客部８は一定の間隔を開けて対向するように設けられた一対の紙幣ガイド９と、この紙幣ガイド９間の紙幣を１枚づつ分離する分離機構１０より構成され、全体が図示しないモータ等により回転する構造となっており、上方に開閉可能なシャッタ１１が設けられている。
【００４８】
この接客部８は前記シャッタ１１を開いて顧客が紙幣ガイド９間に入金紙幣をセットするのを待ったり、あるいは出金紙幣を顧客に支払うための入出金ポジション（イ）、紙幣が投入された後にシャッタ１１を閉じて前記紙幣を１枚づつ分離して搬送路５１に送り込む分離ポジション（ロ）、表裏取り揃え機構１２から一括して紙幣を受け取る受け取りポジション（ハ）の３つのポジションに紙幣ガイド９が角度変化するように、これらの各ポジションに配置された図示しない発光，受光素子から成る位置検出器の信号に基づいて制御される。
【００４９】
次に、上述した構成の作用を図１〜図７と共に、図８〜図１１を用いて説明する。
図８〜図１１は第１の実施の形態の作用を示す概略側面図で、図８は入金取引時、図９は出金取引時、図１０は紙幣補充時、図１１は紙幣回収時を示し、これらの図において太線の矢印は紙幣の流れを示している。
【００５０】
まず、図８に示す入金取引について説明する。
顧客が顧客操作表示部５の入金取引キーを押下し、図示しないカードをカード挿入口または通帳を通帳挿入口に挿入すると、自動取引装置１の制御部７と図示しないセンタとの間で所定の交信が行われ、取引可能なことが確認されると制御部７はＣＣＡＤ２に入金処理開始のコマンドを送信する。
【００５１】
ＣＣＡＤ２は入金処理開始のコマンドを受信すると、内部状態を入金モードに切り替え、図７に示すシャッタ１１を開いて顧客が紙幣を接客部８の紙幣ガイド９間にセットするのを待つ。
このとき、紙幣ガイド９は図７（イ）に示す入出金ポジションとなっており、また一時保留板４２〜４４は各々金種別カセット３３〜３５に直上に位置している。
【００５２】
顧客が紙幣をセットし、その紙幣を図示しないセンサにより検知するとシャッタ１１は閉じ、制御部７から定期的に送信している状態センスコマンドに対して紙幣セット有りのデータを付加してレスポンスを返送する。
次に制御部７は、ＣＣＡＤ２入金計数コマンドを送信して、前記紙幣ガイド９間にセットされた紙幣の計数を指示する。
【００５３】
これによりＣＣＡＤ２の接客部８は図示しいないモータによって図７（ロ）のように分離ポジションとなり、そして紙幣ガイド９間の紙幣を一枚づつ分離機構１０により搬送路５１に送り取り込み、この搬送路５１により鑑別部１３へ順次搬送する。
鑑別部１３では搬送されてきた紙幣の真偽，金種，及び正損等の鑑別を行うと共に、搬送異常の有無を検知して後方へ送り出す。
【００５４】
この鑑別部１３で真券と鑑別された紙幣は、切り替えブレード１４ｃを作動させて入出金ユニット５３へ送り込む。
入出金ユニット５３へ送り込まれた紙幣のうち、千円券は切り替えブレード１４ｈを作動させて紙幣集積機構３９に送り込み、一時保留板４２上に集積する。同様に万円券は、切り替えブレード１４ｉを作動させて紙幣集積機構４０に送り込み、一時保留板４３上に集積する。
【００５５】
また、損券及び還流対象外金種である５百円券や５千円券は出金用として再利用しないので、これらは入金リジェクト紙幣として切り替えブレード１４ｊを作動して紙幣集積機構４１に送り込み、一時保留板４４上に集積する。
一方、偽券と鑑別された紙幣あるいは搬送異常が検知された紙幣は、搬送路５１により表裏取り揃え機構１２に搬送して１枚づつ集積する。
【００５６】
このとき接客部８は図示しないモータにより図７（ハ）に示す受け取りポジションに変化して待機しており、接客部８の紙幣ガイド９間に顧客がセットした紙幣の入金計数処理が完了すると、表裏取り揃え機構１２に集積された紙幣を接客部８の紙幣ガイド９間に送り込む。
その後、この接客口８を前記入出金ポジションに戻し、シャッタ１１を開いて紙幣ガイド９間の紙幣を顧客に返却した後、前記シャッタ１１を閉じる。
【００５７】
その後ＣＣＡＤ２は、制御部７に対して入金計数終了のレスポンスに各金種別に計数した枚数データを付加して返送する。
制御部７はこのデータを受けて金種別の金額と合計の金額を演算し、顧客操作表示部５の表示部に表示すると共に、このデータを入金計数としてカウントし、図示しないメモリに記憶しておく。
【００５８】
顧客が前記表示部に表示された金額を確認し、顧客操作表示部５の確認キーを押下すると、ＣＣＡＤ２は制御部７からのコマンドを受信して、入出金ユニット５３の一時保留板４２，４３，を矢印Ｊ方向に同時に退避させ、この一時保留板４２，４３上に集積されていた紙幣を金種別カセット３３，３４内にそれぞれ収納すると共に、顧客にカード及び取引内容を印字した通帳を返却し、入金取引の処理を終了する。
【００５９】
尚、カードだけで取引を行った場合は、取引内容を印字したレシートを発行する。
次に、紙幣分離機構４７を駆動して一時保留板４４上の紙幣を搬送路５１に繰り出し、鑑別部１３に搬送して金種及び正損の鑑別を行う。
鑑別の結果、還流対象外の紙幣は切り替えブレード１４ｃ〜１４ｆを作動させて第２のリジェクトカセット７０のリジェクト紙幣集積手段７１に送り込み、第２のリジェクトカセット７０内に集積する。
【００６０】
また、損券と鑑別された紙幣は切り替えブレード１４ｃ〜１４ｆの作動により第１のリジェクトカセット１６のリジェクト紙幣集積手段３０に送り込まれ、リジェクト紙幣収納部２８に集積される。
以上で入金取引の処理が終了する。
次に、図９に示す出金取引について説明する。
【００６１】
顧客が顧客操作表示部５の出金取引キーを押下し、カードをカード挿入口に挿入した後、暗証番号を入力すると、制御部７とセンタとの間で所定の交信が行われ、取引可能なことが確認されると制御部７はＣＣＡＤ２に出金処理開始のコマンドを送信する。
ＣＣＡＤ２は出金処理開始のコマンドを受信すると内部状態を出金モードに切り替え、一時保留板４２〜４４を矢印ｊ方向に退避させると共に、金種別カセット３３〜３４のステージ３６〜３８を上昇させ、出金する紙幣の金種と枚数の指示を待つ。
【００６２】
ここで、顧客により例えばｍ万ｎ千の金額が入力された場合、まず金種別カセット３３，３４，３５のエンド検知器４８ａ，４９ａ，５０ａがエンドを検知していないかどうか確認する。
このとき、エンド検知器４８ａがエンド検知している場合、千円の出金が不可のデータを付加して制御部７にレスポンスを返送し、またエンド検知器４９ａ，５０ａの両方がエンド検知している場合は、ＣＣＡＤ２は万円の出金が不可のデータを付加して制御部７にレスポンスを返送する。
【００６３】
これにより、制御部７は顧客操作表示部５の表示部に出金可能な紙幣の種類を表示し、金額を再入力させる。
ｍ万ｎ千の金額の入力に対して、エンド検知器４８ａがエンド検知せず、またエンド検知器４９ａ，５０ａのいずれか一方が検知していない場合、制御部７からＣＣＡＤ２に対して出金計数の指示と共に、万円券ｍ枚，千円券ｎ枚を指定するデータが送られる。
【００６４】
これにより紙幣分離機構４６または４７が駆動されて金種別カセット３４または３５より万円券が１枚づつ繰り出され、この繰り出された紙幣は搬送路５１により鑑別部１３に搬送される。
鑑別部１３では金種，表裏，及び正損の鑑別と、搬送異常の有無の検知が行われ、指定通り金種の正券で搬送異常が検知されなければ、切り替えゲート１４ｃを作動させ、搬送路５１により表裏取り揃え機構１２に搬送する。
【００６５】
そして、前記鑑別部１３の表裏鑑別結果に基づいて切り替えブレード１４ａを作動させ、１枚づつ表裏を取り揃え、表裏取り揃え機構１２に集積する。
一方、鑑別部１３で損券と鑑別された紙幣及び異常搬送が検知された紙幣は、切り替えブレード１４ｃ，１４ｇを作動させて第１のリジェクトカセット１６のリジェクト紙幣集積手段３０に送り、紙幣収納部２８に集積する。
【００６６】
このようにして、万円券がｍ枚表裏取り揃え機構１２に集積されるまで、万円券の繰り出し，鑑別及び集積を繰り返す。
ｍ枚の万円券が表裏取り揃え機構１２に集積されると、次に紙幣分離機構４５が駆動され、金種別カセット３３から千円券が１枚づつ繰り出され、前記万円券と同様に鑑別部１３に搬送されて、同様の処理が行われる。
【００６７】
これにより指定金種，指定枚数の紙幣つまり万円券ｍ枚，千円券ｎ枚の紙幣を表裏取り揃え機構１２に集積すると、接客部８を図示していないモータにより図８ (ｃ) の受け取りポジションに変化させ、表裏取り揃え機構１２に集積した出金紙幣と取引内容を印字したレシートを接客部８の紙幣ガイド９間に送り込む。その後、接客部８を図示しないモータにより図８（イ）の入出金ポジションに変化させ、シャッタ１１を開いて顧客にレシートと共に紙幣を支払い、更に前記シャッタ１１を閉じる。
【００６８】
そして、顧客にカードを返却して出金取引の処理を終了する。
こうして出金処理が終了すると、ＣＣＡＤ２は処理終了のレスポンスに出金金種とその枚数のデータ及び非還流紙幣として第１のリジェクトカセット１６のリジェクト紙幣収納部２８に集積した損券，還流対象外券の金種とその枚数のデータを付加して制御部７に返送し、制御部７はこれを受信して、出金計数及びリジェクト計数としてカウントして図示しない所定の記憶部に記憶する。
【００６９】
尚、前記紙幣を顧客が取り忘れた場合は、分離機構１０によりこの取り忘れ紙幣を再分離して搬送路５１に１枚ずつ送り込み、更に切り替えブレード１４ｃ，１４ｄ，１４ｇを作動させ、第１のリジェクトカセット１６の取り忘れ紙幣集積部２９に送り込んで取り忘れ紙幣収納部２７に集積する。
次に、図１０に示した紙幣の補充について説明する。
【００７０】
この紙幣の補充は自動取引装置１の運用開始時あるいは運用中に紙幣の不足が生じたときに行われるもので、この紙幣の補充を第１の一括カセット１５により行う場合は従来の技術で説明したので、ここでは第２の一括カセット６１により行う場合について説明する。
まず、係員は係員がＣＣＡＤ２の扉５２を開いて一括カセットを装着すると、この第２の一括カセット６１の装着は、前記のようにＣＣＡＤ２の制御部８２により認識される。
【００７１】
このとき第２の一括カセット６１の一括収納部６２のステージ６３上には予め元方で取引に必要な複数の金種の紙幣つまり千円券及び万円券が一括してセットされているが、千円券の枚数は金種別カセット３３の満杯量以下であり、また万円券は金種別カセット３４と３５の合計の満杯量以下となっている。
第２の一括カセット１５の装着後、係員はＣＣＡＤ２の扉５２を閉め、内部操作部６の操作キーにより紙幣補充の指示を入力する。
【００７２】
制御部７はこの入力を受けて、ＣＣＡＤ２に対して装填動作開始を指示するコマンドを送信し、ＣＣＡＤ２はこの装填動作開始のコマンドを受信すると内部状態を装填モードに切り替えて、一括収納部６２のエンド検知器６７ａがエンド検知していないこと、すなわち装填するべき紙幣が一括収納部６２に収納されていることを確認する。
【００７３】
これは、例えば係員が誤って空の第２の一括カセット７０を装着した場合のために行うもので、エンド検知していた場合は動作不可のデータを付加してレスポンスを返送し、この処理は中止される。
エンド検知していないことを確認するとＣＣＡＤ２は金種別カセット３３〜３５のステージ３６〜３８を所定の位置まで上昇させて紙幣補充動作を開始する。
【００７４】
すなわち、繰り出し集積部６４を駆動してステージ６３上の紙幣を上から順に１枚づつ分離して繰り出し、搬送路５１による搬送と切り替えブレード１４ｌ，１４ｂの案内により鑑別部１３へ送り込む。
鑑別部１３では送り込まれてきた紙幣に対して順次真偽，金種，正損の鑑別と搬送異常の有無を検知を行い、これにより金種が確認されかつ搬送異常が検知されなかった紙幣は補充可能な紙幣として金種別に計数された後、搬送路５１による搬送とブレード１４ｃ、１４ｄの案内により入出金ユニット５３に送られる。
【００７５】
そして、この入出金ユニット５３に送られた紙幣のうち、千円券の紙幣は切り替えブレード１４ｈを作動して紙幣集積機構３９に送り込み、金種別カセット３３のステージ３６に直接集積する。
同様に万円券の紙幣は、切り替えブレード１４ｉまたは切り替えブレード１４ｊを作動して紙幣集積機構４０または紙幣集積機構４１に送り込み、金種別カセット３４のステージ３７または金種別カセット３５のステージ３８に直接集積する。
【００７６】
この動作は第２の一括カセット６１のステージ６２上の紙幣がなくなってエンド検知器６７ａによりエンドが検知されまで繰り返されるが、途中ステージ３６，３７，３８のいずれか一つの集積枚数が保留許容値（例えば１００枚）に達した場合には、繰り出し集積部６４の動作を中断し、保留許容値に達したカセットのステージを図示していないモータにより保留許容値に相当する分下げ、ステージが下がった時点で前記繰り出し集積部６４を再び作動させて紙幣の補充動作を繰り返す。
【００７７】
第２の一括カセット６１のステージ６２上の紙幣がなくなって、エンド検知器６７ａがエンド検知すると繰り出し集積部６４は停止され、最後の紙幣が金種別カセットに到着すると搬送路５１による搬送動作も停止する。
最後に、金種別カセット３３，３４，３５のステージ３６，３７，３８が一斉に下がり、ステージ３６，３７，３８上に集積された紙幣は各々金種別カセット３３，３４，３５に収納される。
【００７８】
尚、前記鑑別部１３により金種不明と鑑別された紙幣あるいは異常搬送が検知された紙幣は切り替えブレード１４ｄ，１４ｅを作動させ、リジェクト紙幣集積手段６６へ送り込んでリジェクト紙幣収納部６５に集積する。
また、自動取引装置１の運用中に紙幣の不足が生じて補充を行う際には、紙幣の補充動作中に金種別カセット３３，３４，３５のフル検知器４８ｃ，４９ｃ，５０ｃのいずれもがフルを検知する場合があり、このような場合は第２の一括カセット６１の繰り出し集積手段６４を停止する。
【００７９】
ＣＣＡＤ２は紙幣補充終了のレスポンスに各金種別に装填した計数枚数を付加して制御部７に返送し、制御部７はその金種別の計数枚数データを所定の記憶部に格納する。
以上で紙幣の補充動作が終了し、顧客との取引が可能な状態となる。
次に、図１１に示した紙幣の回収について説明する。
【００８０】
尚、この場合も第２の一括カセット６２を用いて行うものとする。
精査時等に係員が自動取引装置１の内部操作部６のキー操作により回収指示を入力すると、制御部７はこの入力を受けてＣＣＡＤ２に対して回収動作開始を指示するコマンドを送信する。
ＣＣＡＤ２は回収動作開始のコマンドを受信すると内部状態を回収モードに切り替え、各金種別カセット３３，３４，３５のすべてがエンド検知されていないこと、すなわち回収するべき紙幣が金種別カセット３３，３４，３５のいずれかに存在することを確認する。
【００８１】
金種別カセット３３，３４，３５がすべてエンド検知されていた場合、ＣＣＡＤ２は動作不可のデータをレスポンスに付加して制御部７に返送し、この処理は中止される。
金種別カセット３３〜３５のいずれか一つでもエンドを検知していないことを確認すると、ＣＣＡＤ２は回収動作を開始する。
【００８２】
まず、金種別カセット３５のエンドが検知されていない場合、一時保留板４４を矢印ｊ方向に退避させてステージ３８を上昇させ、紙幣分離機構４７を駆動して、ステージ３８上の紙幣を上側から順に１枚づつ分離して繰り出し、搬送路５１により鑑別部１３へ搬送する。
鑑別部１３では搬送されてきた紙幣の金種の鑑別を行うと共に、搬送異常の有無を検知する。
【００８３】
この鑑別部１３で搬送異常が検知された紙幣は、切り替えブレード１４ｃ〜１４ｇを作動させて第１のリジェクトカセット１６のリジェクト紙幣集積手段３０に送り込み、リジェクト紙幣収納部２８に集積する。
鑑別の結果正常な紙幣は計数され、切り替えブレード１４ｃ，１４ｋ，１４ｌを作動させて第２の一括カセット６１の繰り出し集積手段６４に送り込み、ステージ６３上に順次集積させる。
【００８４】
この動作は金種別カセット３５の紙幣がなくなるまで繰り返される。
金種別カセット３５のエンド検知器５０ａがエンドを検知すると、次に金種別カセット３４のエンドが検知されていない場合、一時保留板４３を矢印ｊ方向に退避させてステージ３７を上昇させ、紙幣分離機構４７を駆動する。
これによりステージ３７上の紙幣を上側から順に１枚づつ分離して繰り出し、金種別カセット３５の紙幣と同様の処理が行われる。
【００８５】
金種別カセット３４のエンド検知器４９ａがエンドを検知すると、次に金種別カセット３３のエンドが検知されていない場合、一時保留板４２を矢印ｊ方向に退避させてステージ３６を上昇させ、紙幣分離機構４５を駆動する。
これによりステージ３７上の紙幣を上側から順に１枚づつ分離して繰り出し、金種別カセット３５の紙幣と同様の処理が行われる。
【００８６】
上述した回収動作中、常時鑑別部１３で第２の一括カセット６１への送り込み紙幣の枚数をカウントし、収納許容量に達すると、回収動作を中断してその情報を制御部７に送信する。
制御部７はこれ受けて内部操作部６の表示部に「一括カセットフル」を表示して、一括カセットに収納された紙幣の回収を指示する。
【００８７】
これにより係員はＣＣＡＤ２の後面の扉５２を開いて第２の一括カセット６１を抜き取り、監査キーを用いて第２の一括カセット６１の蓋を開き、一括収納部６２内の紙幣を全て取り出す。
そして、再び前記蓋を閉じて第２の一括カセット６１をＣＣＡＤ２に再度装着し、扉５２を閉じて回収動作を再開させる。
【００８８】
以上のようにして金種別カセット３５，３４，３３の全てがエンド検知をするまで回収動作を行い、最後の紙幣が一括収納部１７に到着すると搬送路５１による搬送動作を停止し、回収動作が終了する。
以上の処理を終了したＣＣＡＤ２は回収終了のレスポンスに各金種別に回収した計数枚数データを付加して制御部７に返送し、これを受けて制御部７は回収枚数をカウントして図示しない記憶部に記憶する。
【００８９】
以上によりＣＣＡＤ２の紙幣回収処理が終了すると、係員はＣＣＡＤ２の扉５２を開き、第２の一括カセット６１と第１，第２のリジェクトカセット１６，７０を抜き取って、精査を行う元方へ運搬する。
以上説明したそれぞれの処理は実際の運用では以下の順序で行われる。
まず、業務の開始に先立って第１の一括カセット１５または第２の一括カセット６１を用いて金種別カセット３３〜３５に紙幣を補充する。
【００９０】
業務に入ってからは、入金取引、出金取引を随時行い、金種別カセット３３〜３５のニアエンドまたはエンドが検知された場合、第１の一括カセット１５または第２の一括カセット６１によりニアエンドまたはエンドが検知された金種の紙幣を補充する。
その際、必要に応じて第１の一括カセット１５または第２の一括カセット６１を交換するが、交換のために第１の一括カセット１５または第２の一括カセット６１を取り外しても、入金取引は可能であり、また出金取引もニアエンドまたはエンドが検知されていない金種で行うことは可能であるので、自動取引装置１の運用を停止することなく交換を実施することができる。
【００９１】
また、第１のリジェクトカセット１６の取り忘れ紙幣収納部２７またはリジェクト紙幣収納部２８のフル検知器３１または３２がフルを検知した場合、第１のリジェクトカセット１６はＣＣＡＤ２の引き出し方向に対して前面に配置されているので、ＣＣＡＤ２を自動取引装置１から引き出すことなく入出金取引の合間に容易に空の第１のリジェクトカセット１６と交換することができる。
【００９２】
このように第１のリジェクトカセットの交換を入出金取引の合間に行えば、自動取引装置１の稼働を停止する必要はなくなる。
また、第１のリジェクトカセット１６の取り忘れ紙幣収納部２７またはリジェクト紙幣収納部２８のフル検知器３１または３２がフルを検知した場合、第１のリジェクトカセット１６を空のものと交換する必要があるが、第１のリジェクトカセット１６はＣＣＡＤ２の引き出し方向に対して前面に配置されているので、ＣＣＡＤ２を自動取引装置１から引き出すことなく入出金取引の合間に容易に交換することができ、この場合も自動取引装置１の運用を停止しなくてすむ。
【００９３】
第２のリジェクトカセット７０についても同様である。
精査時等には第１の一括カセット１５または第２の一括カセット６１を用いて金種別カセット３３〜３５に紙幣を回収する。
以上をまとめると、本発明によるＣＣＡＤ２では、第１の一括カセット１５が装着された場合、従来の技術で説明したように金種別カセット３３〜３５に対する紙幣の補充と、金種別カセット３３〜３５からの紙幣の回収が行われ、また入金取引と出金取引は、本実施の形態で説明した場合と同様に行われる。
【００９４】
そして、紙幣の補充中、金種別カセット３３〜３５が満杯になった後は、第１の一括カセット１５のステージ１８上の紙幣をすべて繰り出して仕切り板１９上に集積し、積み替え手段１１とステージ１８の協動により仕切り板２３上の紙幣をステージ１８上に積み替えるという動作を行い、また紙幣の回収時には金種別カセット３３〜３５から繰り出した紙幣を仕切り板１９上に集積し、積み替え手段１１とステージ１８の協動により仕切り板１９上の紙幣をステージ１８上に積み替えるという動作を行う。
【００９５】
一方、第２の一括カセットセット６１が装着された場合において、紙幣の補充途中で金種別カセット３３〜３５が満杯になった時、ステージ６３上に紙幣が残っている場合は、繰り出し集積手段６４の駆動を停止してステージ６３上からの紙幣を繰り出しを中止し、そして紙幣の回収時には金種別カセット３３〜３５から繰り出した紙幣を繰り出し集積手段６４によりステージ６３上に集積して回収するという動作を行う。
【００９６】
この第２の一括カセット６１は、第１の一括カセット１５の紙幣回収部２３に相当する部分を切り離して独立した第２のリジェクトカセット７０として構成すると共に、積み替え手段１１を省略して、紙幣の回収時に回収紙幣を繰り出し集積手段６４によりステージ６３上に集積する構造とすることにより、第１の一括カセット１５に備えられている積み替え手段２０とその駆動用のモーター、動力伝達機構、更にはステージ１８を積み替え手段２０に協動させるためのモーターやその動力伝達機構を省略して構造を簡素化し、小型，軽量化を図っている。
【００９７】
第２のリジェクトカセット７０は、入金取引時の還流対象外金種の五千円紙幣等を収納するために用いるが、第１のリジェクトカセット１６が満杯になった場合の予備として用いることも可能である。
図１２は本発明によるＣＣＡＤ２の第２の実施の形態を示す概略側面図で、この第２の実施の形態は第２の一括カセット６１の上部を切り離して繰り出し集積カセット９０としたもので、この繰り出し集積カセット９０には繰り出し集積手段６４、エンド検知器６７ａ、及びニアエンド検知器６７ａが含まれる。
【００９８】
また、第２の一括カセット６１は上面に蓋が設けられ、ＣＣＡＤ２に装着した時上面の蓋が自動的に開き、ＣＣＡＤ２から取り出す際に蓋が自動的に閉じるような構成が採用される。
従って、この第２の一括カセット６１を用いて、第１の実施の形態と同様に紙幣の補充と回収を行うことができる。
【００９９】
以上により第２の一括カセット６１をより小型化、軽量化することができる。
【０１００】
【発明の効果】
以上説明したように本発明の紙幣入出金装置は、紙幣収納量の大きい第１の一括カセットと、この第１の一括カセットより小型でかつ紙幣収納量の小さい第２の一括カセットを用い、第１の一括カセットと第２の一括カセットのどちらが装着されたかを識別し、その識別結果に応じて紙幣の補充と回収を行うものとしている。
【０１０１】
従って、これによれば、顧客への支払が多い日は、第１の一括カセットを用いて紙幣の補充と回収を行い、顧客への支払が少ない日は第２の一括カセットを用いて紙幣の補充と回収を行うというように、必要に応じて第１の一括カセットと第２の一括カセットを使い分けることができ、金種別カセットが満杯になるほど補充する必要がある場合は少ないことから、普段は小型で軽量の第２の一括カセットを使えば済むことになり、これにより係員の運搬等の負担を軽減できるという効果が得られる。
【０１０２】
また、人口の多い大都市の金融機関の店舗に設置される装置では第１の一括カセットを使用し、人口の少ない市町村の金融機関の店舗に設置される装置では第２の一括カセットを使用する等の使い分けも可能であり、同様に係員の運搬等の負担を軽減できるという効果が得られる。
第２の一括カセットを使用する際、この第２の一括カセットと共に第２のリジェクトカセットを装着することで、第１のリジェクトカセットが満杯になったときの予備として第２のリジェクトカセットを用いたり、あるいは第１のリジェクトカセットに入金取引時の損券及び出金取引時の搬送異常券を収納し、第２のリジェクトカセットに前記入金取引の還流対象外の金種の紙幣を収納することも可能であり、運用の自由度を広げることができるという効果も得られる。
【０１０３】
特に、第１のリジェクトカセットに入金取引時の損券及び出金取引時の搬送異常券を収納し、第２のリジェクトカセットに前記入金取引の還流対象外の金種の紙幣を収納する場合においては、精査時の処理が容易になるという効果が得られる。
【図面の簡単な説明】
【図１】第１の実施の形態の内部構成を示す概略側面図。
【図２】第１の実施の形態を用いた自動取引装置の外観を示す斜視図。
【図３】図２の自動取引装置のブロック図。
【図４】コネクタ接続の詳細を示す図。
【図５】第２のリジェクトカセットの斜視図。
【図６】第２の一括カセットを装着する際の概略側面図。
【図７】接客部の動作を示す側面図。
【図８】第１の実施の形態の作用を示す概略側面図。
【図９】第１の実施の形態の作用を示す概略側面図。
【図１０】第１の実施の形態の作用を示す概略側面図。
【図１１】第１の実施の形態の作用を示す概略側面図。
【図１２】第２の実施の形態を示す概略側面図。
【図１３】従来技術を示す概略側面図。
【符号の説明】
１３  鑑別部
１５  第１の一括カセット
１６  第１のリジェクトカセット
３３〜３５  金種別カセット
５１  搬送路
６１  第２の一括カセット
７０  第２のリジェクトカセット
【図１】
0004370656.tif 000002
【図２】
0004370656.tif 000003
【図３】
0004370656.tif 000004
【図４】
0004370656.tif 000005
【図５】
0004370656.tif 000006
【図６】
0004370656.tif 000007
【図７】
0004370656.tif 000008
【図８】
0004370656.tif 000009
【図９】
0004370656.tif 000010
【図１０】
0004370656.tif 000011
【図１１】
0004370656.tif 000012
【図１２】
0004370656.tif 000013
【図１３】
0004370656.tif 000014